(57)【特許請求の範囲】
【請求項１】
視聴期限が設定されているコンテンツを受信して記録媒体に記録する記録再生装置において、
外部から受信したコンテンツを記録する記録手段と、
記録したコンテンツを再生する再生手段と、
現在時刻を管理する時刻管理手段と、
前記記録媒体に記録されているコンテンツの視聴期限を検出する視聴期限検出手段と、
視聴期限が所定の時間内に切れるコンテンツを検出する視聴期限管理手段と、
前記記録手段で記録したコンテンツの一覧表示において、前記視聴期限管理手段により検出されたコンテンツをユーザの目に留まりやすいように優先して表示するコンテンツ一覧表示手段を備え、
視聴期限管理手段が検出する所定の時間内に視聴期限が切れるコンテンツは、ユーザが視聴していないコンテンツであり、
前記コンテンツ一覧表示手段により表示されるコンテンツのうち、視聴期限が最も早く切れるコンテンツを、他のコンテンツよりも強調して表示することを特徴とする記録再生装置。
【請求項２】
請求項１に記載の記録再生装置において、ユーザが視聴していないコンテンツとして扱うコンテンツとは、ユーザがコンテンツの先頭から終端まで全てを再生していないコンテンツとするか、あるいはユーザがコンテンツの一部も再生していないコンテンツであるかを、ユーザが選択できることを特徴とする記録再生装置。
【請求項３】
請求項１に記載の記録再生装置において、視聴期限管理手段が所定の時間内に視聴期限が切れるコンテンツを検出した場合は、コンテンツ一覧表示におけるコンテンツの並び順を変更し、前記コンテンツ一覧表示手段は前記検出したコンテンツを先頭に表示することを特徴とする記録再生装置。
【請求項４】
請求項１に記載の記録再生装置において、視聴期限管理手段が所定の時間内に視聴期限が切れるコンテンツを複数検出した場合は、視聴期限切れまでの残り時間が短いコンテンツから順に先頭から表示することを特徴とする記録再生装置。
【請求項５】
請求項１に記載の記録再生装置において、ユーザ設定により前記所定の時間を変更できることを特徴とする記録再生装置。
【請求項６】
請求項１に記載の記録再生装置において、前記視聴期限管理手段が所定の時間内に視聴期限が切れるコンテンツを検出した場合は、コンテンツ一覧表示におけるコンテンツの並び順を変更せずに、前記コンテンツ一覧表示を構成する複数のコンテンツ一覧画面のうち、視聴期限が最も早く切れるコンテンツを含む一覧画面を表示することを特徴とする記録再生装置。
【請求項７】
視聴期限のあるコンテンツを受信して記録媒体に記録する記録再生方法において、
前記記録媒体に記録されたコンテンツの視聴期限を検出するステップと、
所定の時間内に視聴期限が切れるコンテンツを検出した場合には、記録したコンテンツの一覧表示において、ユーザが発見しやすい場所に優先して前記検出したコンテンツを表示するステップと、を有する記録再生方法であって、
前記所定の時間内に視聴期限が切れるコンテンツは、ユーザが視聴していないコンテンツであり、
前記一覧表示におけるコンテンツのうち、視聴期限が最も早く切れるコンテンツを他のコンテンツよりも強調して表示することを特徴とする記録再生方法。
【発明の詳細な説明】
【技術分野】
【０００１】
本発明は、放送波やネットワークなどの通信媒体を介して配信されるコンテンツを記録し、記録したコンテンツを再生するシステムに係り、特に視聴期間が指定されているコンテンツを記録した場合において、ユーザが視聴期限切れのためにコンテンツ見逃すことを防ぐ方法に関するものである。
【背景技術】
【０００２】
従来、記録再生装置において録画したコンテンツの一覧表示を行う場合、記録した日時の順序で表示していた。しかしながら、視聴期限が設定されたコンテンツを記録した場合、必ずしも全てのコンテンツに設定された視聴期間の長さは一定であるとは限らないため、コンテンツを記録した順序とコンテンツの視聴期間が切れる順序は一致しない。このような場合、まもなく視聴期間が切れてしまう未視聴のコンテンツが存在しても、ユーザはその存在に気づかず、そのコンテンツを見逃してしまうという問題があった。特開２００３-１９９００９では、この問題を解決するために、視聴期限が切れるまで所定の時間を切ったコンテンツがある場合、メッセージ表示などを用いてユーザに通知することにより、ユーザが視聴期限切れのためにコンテンツを見逃すことを防いでいる。
【特許文献１】特開２００３−１９９００９号報
【発明の開示】
【発明が解決しようとする課題】
【０００３】
しかし、上記特開２００３−１９９００９では、視聴期限が所定時間内に切れるコンテンツが存在する場合には、ユーザが既にそのコンテンツを視聴したか否かに関わらずユーザに通知するため、ユーザにとって煩わしい場合がある。また、メッセージ表示やEPGなどにより注意喚起しても、未視聴のコンテンツと視聴済みのコンテンツと区別していないため、視聴期限が設定されているコンテンツの中から、どれが未視聴なのかを探す必要があり、この過程で見落としが発生するという問題があった。本発明は上記問題に鑑み、まもなく有効期限が切れるユーザが未視聴のコンテンツ存在する場合には、そのコンテンツを優先して提示することにより、ユーザが未視聴番組を探すための操作を行うことなく、視聴すべきコンテンツを発見することができるコンテンツ一覧の提示方法を提供することにより、ユーザが視聴期限のあるコンテンツを見逃すことを防止することを目的とする。
【課題を解決するための手段】
【０００４】
上記課題を解決するために、本発明の一実施の態様は、例えば特許請求の範囲に記載された技術的思想を用いる。
【発明の効果】
【０００５】
本発明の記録再生装置は、蓄積装置に記録したコンテンツの一覧をユーザに提示する場合に、コンテンツ一覧情報から視聴期限の設定されているコンテンツを検出し、検出したコンテンツの中で所定の期間内に有効期限が切れるコンテンツが存在し、かつユーザがそのコンテンツを未だ視聴していない場合には、前記コンテンツをコンテンツ一覧表示の中でユーザが発見しやすい場所に優先して表示することにより、視聴期限切れによるコンテンツの見逃しを防ぐことができる。
【発明を実施するための最良の形態】
【０００６】
本発明にかかるコンテンツ一覧表示方法の第１の実施例を、図をもとに説明する。
＜記録再生装置の構成＞
まず、本発明に係る記録再生装置の構成について説明する。
図１は、記録再生装置１の機能ブロック図である。記録再生装置１は、放送波やネットワークなどの通信媒体を介して配信されるコンテンツを蓄積装置に記録し、ユーザ操作により記録したコンテンツを再生することができるものである。以下、同図を参照しながら各部の機能について説明する。
通信制御部１０１は、例えばアンテナを介して放送波コンテンツを受信したり、あるいはネットワーク（例えばインタネットのような広域ネットワーク）を介して、コンテンツサーバから配信されるコンテンツを受信する。さらに、通信制御部１０１は、受信したコンテンツの再生に必要となるライセンスを受信する。ここで、ライセンスは放送派により配信されてもよいし、例えばコンテンツ配信事業者が用意するライセンスサーバから取得しても良い。取得するライセンス情報は、コンテンツの視聴期限を含み、更に、コンテンツが暗号化されている場合には、コンテンツを復号するための復号鍵を含むものである。
記録制御部１０２は、通信制御部１０１が受信したコンテンツとライセンスを関連付けて蓄積装置１０３に記録する。コンテンツを記録する際には、記録するコンテンツのタイトルやファイル名、ライセンスに記載されている視聴期限などの情報を、コンテンツ一覧管理部に通知する。
蓄積装置１０３は、例えばハードディスクドライブなどの蓄積媒体であり、コンテンツのデータならびにライセンスデータを保存するものである。
コンテンツ一覧管理部１０４は、蓄積装置１０３に記録したコンテンツ一覧をユーザに提示するために必要となる情報を管理する。この情報は、新たなコンテンツを記録する場合、未視聴コンテンツを再生した場合、ユーザがコンテンツ一覧画面を操作した場合などに更新される。
視聴期限検出部１０５は、コンテンツ一覧管理部１０４から各コンテンツの視聴期限を取得し、さらに時刻管理部１０６から現在時刻を取得し、現在時刻から視聴期限切れになるまでの残り時間を算出し、予め視聴検出部に設定されている所定の時間よりも残り時間が少ないか否かにより、各コンテンツが所定の時間内に視聴期限切れとなるかを判定する。なお、視聴期限切れになるまでの所定の時間は、記録再生装置１が保持する固定の値（例えば１日など）を使用してもよいし、ユーザが設定した値を視聴期限検出部で保持し、その値を用いてもよい。
再生制御部１０７は、記録制御部１０３に対して蓄積装置１０３からコンテンツならびにコンテンツに対応するライセンスの読み出しを指示し、読み出したコンテンツを復号した映像を表示装置に出力する。
ＯＳＤ制御部１０８は、メニューやコンテンツ一覧などのユーザ操作画面の表示、ならびに表示したユーザ操作画面に対する入力部１１０からの入力に応じた画面制御処理を行う。ユーザがメニューからコンテンツ一覧表示を選択したり、あるいは入力部１１０が備えるコンテンツ一覧表示ボタンを押下するなどの動作により、ユーザがコンテンツ一覧の表示を所望していることを検出した場合には、コンテンツ一覧管理部からコンテンツ一覧情報を取得し、コンテンツ一覧画面を生成して表示装置に出力する。
表示装置１０９は、再生制御部１０７から受信する映像信号に対してＯＳＤ制御部１０８から受信する映像信号を重ね合わせた映像を表示する。
入力部１１０は、無線もしくは有線により記録再生装置１と通信するリモコンやキーボードであり、ユーザがユーザ操作画面において所望の動作を選択するために使用する。
＜コンテンツ一覧管理部が扱う情報＞
次に、コンテンツ一覧管理部１０５が扱う情報について説明する。
図２は、コンテンツ一覧管理部１０４が保持するコンテンツ一覧情報の一例である。コンテンツごとに、「タイトル」「視聴期限」「視聴状況」「フォーカス」「コンテンツ実体」を保持し、それをコンテンツ一覧で表示する順序に合わせてリストとして保持している。「タイトル」は、コンテンツの表題である。「視聴期限」は、コンテンツが視聴できる有効期限を表し、この期限を過ぎるとユーザはコンテンツを視聴できなくなる。「視聴状況」は、ユーザがそのコンテンツを既に視聴したか、それとも未視聴であるかを表すものであり、未視聴であるコンテンツをユーザが視聴した場合に視聴済みへと変更される。ここで、未視聴のコンテンツとは、ユーザがコンテンツを記録してから一度も再生していないコンテンツのことを意味する。なお、コンテンツの一部を再生したが、全体の再生を完了していないコンテンツを未視聴コンテンツとして扱うように、ユーザが設定できるようにしても良い。「フォーカス」は、コンテンツ一覧画面を表示する際に、最初に選択状態となっているコンテンツであるか否かを意味するものである。「コンテンツ実体」は、蓄積装置１０３に記録されているコンテンツの実態を表すものであり、例えばファイル名などを用いることができる。
＜第１の実施例におけるコンテンツ一覧表示の処理の流れ＞
次に、コンテンツ一覧画面の表示する場合の処理の流れについて説明する。
図３は、コンテンツ一覧画面表示の処理の流れを表すフローチャートである。
まずステップＳ１１において、視聴期限検出部１０５はコンテンツ一覧管理部１０４からコンテンツ一覧情報を取得する。
ステップＳ１２では取得したコンテンツ一覧情報のリストからコンテンツ情報を一つ取り出し、ステップＳ１３に進む。取り出すコンテンツ情報は、初回の場合にはリストの先頭に位置する情報を取り出し、次回以降はリストの次の項目を順次取り出す。
ステップＳ１３において、Ｓ１２で取り出したコンテンツ情報から視聴状況を抽出し、ユーザがそのコンテンツを視聴済みであるか否かを確認する。その結果、未視聴であった場合にはステップＳ１４に進み、視聴期限の確認処理を進める。視聴済みであった場合には視聴期限切れが迫っていてもユーザに通知する必要は無いため、視聴期限の確認は行わずにステップＳ１７に進む。
ステップＳ１４では、視聴期限検出部１０５はステップＳ１２で取り出したコンテンツ情報から視聴期限を抽出する。さらに、時刻管理部１０６から現在時刻を取得し、現在時刻から視聴期限が切れるまでに残された時間を算出する。
ステップＳ１５は、算出した結果が、視聴期限検出部１０８が保持する所定の時間よりも短い場合には、ユーザが見逃す恐れがあるコンテンツであるため、コンテンツ一覧の表示内容を変更するためにステップＳ１６に進む。視聴期限が切れるまでに所定の時間よりも長い期間が残されている場合には、ステップＳ１７に進む。
ステップＳ１６では、ステップＳ１２で取り出したコンテンツはユーザが期限切れのため見逃す危険があるため、ユーザがアクセスしやすいようコンテンツ一覧の上位に表示するために、後述する表示順序更新処理によりコンテンツ一覧情報を更新する。その後、ステップＳ１７に進む。
ステップＳ１７では、ステップＳ１２で選択したコンテンツ情報がリストの末尾のものであるかを判定し、リストの末尾であった場合にはステップＳ１８に進み、リスト末尾ではなく未走査のコンテンツ情報が残っている場合にはステップＳ１２へと戻り走査を継続する。
ステップＳ１８では、コンテンツ一覧を表示したときに、最初にフォーカスをあてるコンテンツを指定する。ここでは、リストの先頭にあるコンテンツが視聴期限切れに最も近いものであり優先的に表示したいコンテンツであるため、コンテンツ一覧情報の先頭にあるコンテンツ情報の「フォーカス」項目をＯＮに設定し、その他のコンテンツ情報の「フォーカス」をＯＦＦに設定する。その後、ステップＳ１９に進む。
ステップ１９では、ＯＳＤ制御部１０８はコンテンツ一覧管理部１０４からコンテンツ一覧情報を取得し、リストの先頭から順番にコンテンツ一覧画面に表示する。図２はここで取得するコンテンツ一覧情報の一例であり、先頭の項目にフォーカスが当たる内容となる。また、図５の画面表示２００はこのコンテンツ一覧情報を元に生成されるコンテンツ一覧画面の一例であり、各コンテンツのサムネイル画像やタイトル、有効期限などを表示し、コンテンツ一覧情報の先頭項目にある項目２０１にフォーカスを設定し、サムネイル画像の枠線を太くしたり、色を変えるなどして強調表示する。また、一覧表示においては、サムネイル画像を表示せず文字情報のみとすることで、一画面に表示するコンテンツ数を多くしても良い。
＜表示順序更新処理の流れ＞
次に、図２のフローチャートのステップＳ１６で行う表示順序更新処理の流れを説明する。
図４は、一覧表示順序更新処理の流れを表すフローチャートである。
ステップＳ１６１において、コンテンツ一覧情報からコンテンツ情報を一つ取り出す。ここで、取り出す項目は初回ならば先頭、次回以降は次の項目を取り出すこととする。
ステップＳ１６２では、ステップＳ１２で取り出してリストの上位に挿入しようとしている項目の視聴期限と、ステップＳ１６１で取得した項目の視聴期限のどちら先に視聴期限切れになるかを比較し、挿入しようとしている項目の視聴期限が先に切れる場合にはＳ１６３に進み、追加しようとしている項目を、ステップＳ１６１で取り出した項目の前に挿入する。ステップＳ１６１で取り出した項目のほうが先に有効期限切れとなる場合にはＳ１６４へと進む。
Ｓ１６４では、Ｓ１６１で取得した項目がコンテンツ一覧情報のリスト末尾であるかを確認し、末尾であれば処理を終了し、残りの項目がある場合にはステップＳ１６１に戻り処理を継続する。
以上説明したとおり、本発明の第１の実施形態によれば、ユーザがコンテンツ一覧画面を表示したときに、視聴期限が迫ったコンテンツを一覧表示の先頭に表示することにより、ユーザが視聴期限のあるコンテンツを見逃すことを防止することができる。また、視聴期限が迫ったコンテンツが複数存在する場合においては、視聴期限が切れるまでの残り時間が短いものを先頭から順に表示することにより、ユーザが視聴期限のあるコンテンツを見逃すことを防止することができる。
＜第２の実施例＞
続いて、本発明にかかるコンテンツ一覧表示方法の第２の実施例を、図をもとに説明する。
記録再生装置の機能構成は、実施例１と同じく図１に示す記録再生装置１で表されるため、説明を省略する。また、コンテンツ一覧管理部１０４が管理する情報も第１の実施例と同様であるため、説明を省略する。
＜第２の実施例におけるコンテンツ一覧表示の処理の流れ＞
続いて、本実施例におけるコンテンツ一覧表示処理の流れについて説明する。図６は、本実施例におけるコンテンツ一覧表示処理の流れを示すフローチャートである。このフローチャートにおいて、ステップＳ６１乃至ステップＳ６５の処理は、既に説明した図３のフローチャートのステップＳ１１乃至ステップＳ１６と同様の処理であるため、ここでは説明を省略する。
ステップＳ６６では、まず、コンテンツ一覧情報のなかで「フォーカス」がＯＮに設定されているコンテンツ情報（コンテンツ情報Ａとする）を選択し、そこから視聴期限を抽出する。さらに、ステップＳ６１からステップＳ６５までの処理により検出したコンテンツ情報（コンテンツ情報Ｂとする）から視聴期限を抽出する。ここで、コンテンツ情報Ａの有効期限よりコンテンツ情報Ｂの有効期限が先に切れる場合には、コンテンツ情報Ａの「フォーカス」をＯＦＦに変更し、さらに、コンテンツ情報Ｂの「フォーカス」をＯＮに設定する。コンテンツ情報Ａの有効期限のほうが先に切れる場合には、フォーカス設定は変更しない。以上の処理を行った後に、ステップＳ６７へ進む。
ステップＳ６７における処理は、図３のフローチャートにおけるステップＳ１７と同様であるため、説明を省略する。
ステップＳ６８では、ＯＳＤ制御部１０８はコンテンツ一覧管理部１０４からコンテンツ一覧情報を取得し、まず「フォーカス」がＯＮに設定されているコンテンツ情報を抽出する。図８は、ステップＳ６７までの処理の結果生成されるコンテンツ一覧情報の一例であり、３０件のコンテンツが記録されている中で、１４番目の項目にフォーカスを当てるように設定された場合となる。ＯＳＤ制御部１０８は、コンテンツ一覧表示において１画面あたりに表示するコンテンツ数と、フォーカスが設定されているコンテンツ情報の位置から、何ページ目を最初に表示するかを算出する。例えば、１画面あたり６件のコンテンツを表示する場合には、１４件目のコンテンツは全部で５画面あるうちの３画面目に配置されることになる。そこでＯＳＤ制御部１０８は、３ページ目の画面を生成し、表示装置に出力する。図８に示す画面表示３００は、ステップＳ６８により生成されるコンテンツ一覧表示の一例である。
以上説明したとおり、本発明の第２の実施形態によれば、ユーザがコンテンツ一覧画面を表示したときに、それまでのコンテンツ一覧表示における表示の並び順を変更することなく、視聴期限が迫ったコンテンツを含むページを表示し、かつそのコンテンツにフォーカスをあてることにより、ユーザに視聴期限があり未視聴のコンテンツ優先的に表示し、期限切れによる見逃しを防止することができる。
【図面の簡単な説明】
【０００７】
【図１】本発明に係る記録再生装置の機能ブロック図
【図２】第１のコンテンツ一覧情報の例
【図３】第１のコンテンツ一覧表示処理のフローチャート
【図４】コンテンツ表示位置更新処理のフローチャート
【図５】第１のコンテンツ一覧画面表示例
【図６】第２のコンテンツ一覧表示処理のフローチャート
【図７】第２のコンテンツ一覧情報の例
【図８】第２のコンテンツ一覧画面表示例
【符号の説明】
【０００８】
１００  記録再生装置
１０１  通信制御部
１０２  記録制御部
１０３  蓄積装置
１０４  コンテンツ一覧管理部
１０５  視聴期限検出部
１０６  時刻管理部
１０７  再生制御部
１０８  ＯＳＤ制御部
１０９  表示装置
１１０  入力部
２００  第１の画面表示例
２０１  第１の画面表示例におけるフォーカスコンテンツ
３００  第２の画面表示例
３０１  第２の画面表示例におけるフォーカスコンテンツ
【図１】
0005119032.tif 000002
【図２】
0005119032.tif 000003
【図３】
0005119032.tif 000004
【図４】
0005119032.tif 000005
【図５】
0005119032.tif 000006
【図６】
0005119032.tif 000007
【図７】
0005119032.tif 000008
【図８】
0005119032.tif 000009